【手続補正書】
【提出日】平成16年10月8日(2004.10.8)
【手続補正１】
【補正対象書類名】明細書
【補正対象項目名】発明の名称
【補正方法】変更
【補正の内容】
【発明の名称】画像通信装置、送信画像制御方法、画像処理装置、画像処理方法、記憶媒体、及びプログラム
【手続補正２】
【補正対象書類名】明細書
【補正対象項目名】特許請求の範囲
【補正方法】変更
【補正の内容】
【特許請求の範囲】
【請求項１】
画像読取手段の画像読み取りに基づく電子画像データを電子画像ファイルに変換する第一の変換手段と、前記電子画像ファイルを電子メール形式の電子メールデータに変換する第二の変換手段と、前記電子メールデータを電子メール送信する第一の送信手段と、前記画像読取手段の画像読み取りに基づく画像データをファクシミリ形式の画像データに変換する第三の変換手段と、前記ファクシミリ形式の画像データを送信する第二の送信手段とを備えた画像通信装置であって、
設定された読み取り画像幅に応じて画像処理を行う際、前記画像読取手段からの画像データを前記第一の送信手段で送信するか、前記第二の送信手段で送信するかに応じて画像サイズを異ならせるよう制御する画像処理制御手段を有することを特徴とする画像通信装置。
【請求項２】
前記画像処理制御手段は、前記第一の変換手段で前記電子画像データを前記電子画像ファイルに変換する際に、前記設定された読み取り画像幅に応じて前記電子画像ファイルの横幅を変えることを特徴とする請求項１記載の画像通信装置。
【請求項３】
前記画像処理制御手段は、前記電子メールデータを前記第一の送信手段で電子メール送信する場合は、前記設定された読み取り画像幅に応じて電子画像ファイルの横幅を変えて前記電子画像ファイルに変換し前記電子メールデータとして送信させ、前記電子画像データを前記第二の送信手段によってファクシミリ送信する場合は、前記電子画像データに白画素を付加し一定の画像幅にしてから送信させることを特徴とする請求項１又は２記載の画像通信装置。
【請求項４】
画像通信装置本体に着脱可能なハンドスキャナ単体による画像入力、或いは画像通信装置本体に着脱可能なハンドスキャナを画像通信装置本体に装着した状態での画像入力、或いは外部メモリカードからの画像入力が可能であることを特徴とする請求項１〜３の何れかに記載の画像通信装置。
【請求項５】
外部装置との間で、ISDN（Integrated Services Digital Network）、PSTN（Public Switched Telephone Network）等の公衆回線、或いはBluetooth、IrDA（Infrared Data Association）、PHS（Personal Handy-phone System）等の無線通信媒体、或いはUSB（Universal Serial Bus）、IEEE（Institute of Electrical and Electronics Engineers）1394等の有線通信媒体を介して通信可能であることを特徴とする請求項１〜４の何れかに記載の画像通信装置。
【請求項６】
画像読取手段の画像読み取りに基づく電子画像データを電子画像ファイルに変換する第一の変換工程と、前記電子画像ファイルを電子メール形式の電子メールデータに変換する第二の変換工程と、前記電子メールデータを電子メール送信する第一の送信工程と、前記画像読取手段の画像読み取りに基づく画像データをファクシミリ形式の画像データに変換する第三の変換工程と、前記ファクシミリ形式の画像データを送信する第二の送信工程とを有する画像通信装置に適用される送信画像制御方法であって、
設定された読み取り画像幅に応じて画像処理を行う際、前記画像読取手段からの画像データを前記第一の送信工程で送信するか、前記第二の送信工程で送信するかに応じて画像サイズを異ならせるよう制御する画像処理制御工程を有することを特徴とする送信画像制御方法。
【請求項７】
前記画像処理制御工程では、前記第一の変換工程で前記電子画像データを前記電子画像ファイルに変換する際に、前記設定された読み取り画像幅に応じて前記電子画像ファイルの横幅を変えることを特徴とする請求項６記載の送信画像制御方法。
【請求項８】
前記画像処理制御工程では、前記電子メールデータを前記第一の送信工程で電子メール送信する場合は、前記設定された読み取り画像幅に応じて電子画像ファイルの横幅を変えて前記電子画像ファイルに変換し前記電子メールデータとして送信させ、前記電子画像データを前記第二の送信工程でファクシミリ送信する場合は、前記電子画像データに白画素を付加し一定の画像幅にしてから送信させることを特徴とする請求項６又は７記載の送信画像制御方法。
【請求項９】
前記画像通信装置は、画像通信装置本体に着脱可能なハンドスキャナ単体による画像入力、或いは画像通信装置本体に着脱可能なハンドスキャナを画像通信装置本体に装着した状態での画像入力、或いは外部メモリカードからの画像入力が可能であることを特徴とする請求項６〜８の何れかに記載の送信画像制御方法。
【請求項１０】
前記画像通信装置は、外部装置との間で、ISDN（Integrated Services Digital Network）、PSTN（Public Switched Telephone Network）等の公衆回線、或いはBluetooth、IrDA（Infrared Data Association）、PHS（Personal Handy-phone System）等の無線通信媒体、或いはUSB（Universal Serial Bus）、IEEE（Institute of Electrical and Electronics Engineers）1394等の有線通信媒体を介して通信可能であることを特徴とする請求項６〜９の何れかに記載の送信画像制御方法。
【請求項１１】
画像読取手段の画像読み取りに基づく電子画像データを電子画像ファイルに変換する第一の変換ステップと、前記電子画像ファイルを電子メール形式の電子メールデータに変換する第二の変換ステップと、前記電子メールデータを電子メール送信する第一の送信ステップと、前記画像読取手段の画像読み取りに基づく画像データをファクシミリ形式に変換する第三の変換ステップと、前記ファクシミリ形式の画像データを送信する第二の送信ステップとを有する画像通信装置に適用される送信画像制御方法を実行するプログラムを記憶したコンピュータにより読み出し可能な記憶媒体であって、
前記送信画像制御方法は、設定された読み取り画像幅に応じて画像処理を行う際、前記画像読取手段からの画像データを前記第一の送信ステップで送信するか、前記第二の送信ステップで送信するかに応じて画像サイズを異ならせるよう制御する画像処理制御ステップを有することを特徴とする記憶媒体。
【請求項１２】
前記画像処理制御ステップでは、前記第一の変換ステップで前記電子画像データを前記電子画像ファイルに変換する際に、前記設定された読み取り画像幅に応じて前記電子画像ファイルの横幅を変えることを特徴とする請求項１１記載の記憶媒体。
【請求項１３】
前記画像処理制御ステップでは、前記電子メールデータを前記第一の送信ステップで電子メール送信する場合は、前記設定された読み取り画像幅に応じて電子画像ファイルの横幅を変えて前記電子画像ファイルに変換し前記電子メールデータとして送信させ、前記電子画像データを前記第二の送信ステップでファクシミリ送信する場合は、前記電子画像データに白画素を付加し一定の画像幅にしてから送信させることを特徴とする請求項１１又は１２記載の記憶媒体。
【請求項１４】
画像通信装置本体に着脱可能なハンドスキャナ単体による画像入力、或いは画像通信装置本体に着脱可能なハンドスキャナを画像通信装置本体に装着した状態での画像入力、或いは外部メモリカードからの画像入力を行うステップを有することを特徴とする請求項１１〜１３の何れかに記載の記憶媒体。
【請求項１５】
前記画像通信装置と外部装置との間で、ISDN（Integrated Services Digital Network）、PSTN（Public Switched Telephone Network）等の公衆回線、或いはBluetooth、IrDA（Infrared Data Association）、PHS（Personal Handy-phone System）等の無線通信媒体、或いはUSB（Universal Serial Bus）、IEEE（Institute of Electrical and Electronics Engineers）1394等の有線通信媒体を介して通信を行うステップを有することを特徴とする請求項１１〜１４の何れかに記載の記憶媒体。
【請求項１６】
イメージデータを入力する入力手段と、イメージデータが示すイメージが予め決められたサイズとなるようにイメージデータを処理する処理手段と、前記入力手段で入力されたイメージデータに基づきファクシミリデータを生成する第一の生成手段と、前記入力手段で入力されたイメージデータに基づき電子メールデータを生成する第二の生成手段と、前記第一及び第二の生成手段を制御すると共に、前記第一の生成手段でファクシミリデータを生成する場合は前記入力手段で入力されたイメージデータを前記処理手段で処理してからファクシミリデータを生成させ、前記第二の生成手段で電子メールデータを生成する場合は前記入力手段で入力されたイメージデータを前記処理手段により処理せずに電子メールデータを生成させる制御手段とを有することを特徴とする画像処理装置。
【請求項１７】
前記入力手段で入力されるイメージデータとは、読取手段で読み取られるイメージデータであることを特徴とする請求項１６記載の画像処理装置。
【請求項１８】
前記入力手段で入力されるイメージデータとは、着脱可能な記憶手段から読み出されるイメージデータであることを特徴とする請求項１６記載の画像処理装置。
【請求項１９】
前記処理手段は、イメージデータに白画素を付加して予め決められたサイズとすることを特徴とする請求項１６記載の画像処理装置。
【請求項２０】
前記制御手段は、前記第一の生成手段と前記第二の生成手段とでγ値を異ならせることを特徴とする請求項１６記載の画像処理装置。
【請求項２１】
前記制御手段は、予め決められた条件に応じて前記第一及び第二の生成手段の動作を制限することを特徴とする請求項１６記載の画像処理装置。
【請求項２２】
イメージデータを入力する入力手段と、前記入力手段で入力されたイメージデータに基づきファクシミリデータを生成する第一の生成手段と、前記入力手段で入力されたイメージデータに基づき電子メールデータを生成する第二の生成手段と、前記入力手段で入力されたイメージのサイズに応じてイメージデータを前記第一又は前記第二の生成手段に供給するまでの処理を制御する制御手段とを有することを特徴とする画像処理装置。
【請求項２３】
前記入力手段で入力されるイメージデータとは、読取手段で読み取られるイメージデータであることを特徴とする請求項２２記載の画像処理装置。
【請求項２４】
前記入力手段で入力されるイメージデータとは、着脱可能な記憶手段から読み出されるイメージデータであることを特徴とする請求項２２記載の画像処理装置。
【請求項２５】
前記制御手段は、前記入力手段で入力されたイメージデータが示すイメージのサイズが予め決められたサイズより小さく、イメージデータをファクシミリ送信すべきとき、イメージデータが示すイメージが予め決められたサイズとなるように処理してから、前記第一の生成手段に供給することを特徴とする請求項２２記載の画像処理装置。
【請求項２６】
前記制御手段は、前記入力手段で入力されたイメージデータを電子メール送信すべきとき、イメージデータが示すイメージのサイズに応じたファイルを前記第二の生成手段に生成させることを特徴とする請求項２２記載の画像処理装置。
【請求項２７】
前記制御手段は、予め決められたサイズのファイルで電子メール送信を行うよう設定されている場合、イメージデータが示すイメージのサイズに関わらず予め決められたサイズのファイルを前記第二の生成手段に生成させることを特徴とする請求項２６記載の画像処理装置。
【請求項２８】
前記制御手段は、前記前記入力手段で入力されたイメージデータが示すイメージがカラーである場合、イメージデータを前記第一及び第二の生成手段に供給しないことを特徴とする請求項２２記載の画像処理装置。
【請求項２９】
前記制御手段は、前記前記入力手段で入力されたイメージデータが示すイメージが小さいサイズのカラーイメージであれば、前記第一及び第二の生成手段への供給を許可することを特徴とする請求項２８記載の画像処理装置。
【請求項３０】
イメージデータを入力する入力ステップと、イメージデータが示すイメージが予め決められたサイズとなるようにイメージデータを処理する処理ステップと、前記入力ステップで入力されたイメージデータに基づきファクシミリデータを生成する第一の生成ステップと、前記入力ステップで入力されたイメージデータに基づき電子メールデータを生成する第二の生成ステップと、前記第一及び第二の生成ステップを制御すると共に、前記第一の生成ステップでファクシミリデータを生成する場合は前記入力ステップで入力されたイメージデータを前記処理ステップで処理してからファクシミリデータを生成させ、前記第二の生成ステップで電子メールデータを生成する場合は前記入力ステップで入力されたイメージデータを前記処理ステップにより処理せずに電子メールデータを生成させる制御ステップとを有することを特徴とする画像処理方法。
【請求項３１】
イメージデータを入力する入力ステップと、イメージデータが示すイメージが予め決められたサイズとなるようにイメージデータを処理する処理ステップと、前記入力ステップで入力されたイメージデータに基づきファクシミリデータを生成する第一の生成ステップと、前記入力ステップで入力されたイメージデータに基づき電子メールデータを生成する第二の生成ステップと、前記第一及び第二の生成ステップを制御すると共に、前記第一の生成ステップでファクシミリデータを生成する場合は前記入力ステップで入力されたイメージデータを前記処理ステップで処理してからファクシミリデータを生成させ、前記第二の生成ステップで電子メールデータを生成する場合は前記入力ステップで入力されたイメージデータを前記処理ステップにより処理せずに電子メールデータを生成させる制御ステップとを有することを特徴とするコンピュータ読み取り可能なプログラム。
【請求項３２】
イメージデータを入力する入力ステップと、前記入力ステップで入力されたイメージデータに基づきファクシミリデータを生成する第一の生成ステップと、前記入力ステップで入力されたイメージデータに基づき電子メールデータを生成する第二の生成ステップと、前記入力ステップで入力されたイメージのサイズに応じてイメージデータを前記第一又は前記第二の生成ステップに供給するまでの処理を制御する制御ステップとを有することを特徴とする画像処理方法。
【請求項３３】
イメージデータを入力する入力ステップと、前記入力ステップで入力されたイメージデータに基づきファクシミリデータを生成する第一の生成ステップと、前記入力ステップで入力されたイメージデータに基づき電子メールデータを生成する第二の生成ステップと、前記入力ステップで入力されたイメージのサイズに応じてイメージデータを前記第一又は前記第二の生成ステップに供給するまでの処理を制御する制御ステップとを有することを特徴とするコンピュータ読み取り可能なプログラム。
【手続補正３】
【補正対象書類名】明細書
【補正対象項目名】０００１
【補正方法】変更
【補正の内容】
【０００１】
【発明の属する技術分野】
本発明は、例えば、電子メールやファクシミリ等によって送信するための画像データを処理するための画像通信装置、送信画像制御方法、画像処理装置、画像処理方法、記憶媒体、及びプログラムに関する。
【手続補正４】
【補正対象書類名】明細書
【補正対象項目名】０００９
【補正方法】変更
【補正の内容】
【０００９】
本発明は上述の問題点に鑑みてなされたものであり、入力された画像データをファクシミリ形式の画像データとして送信するか、電子メール送信するかに応じて適切なサイズの画像として送信可能な画像通信装置、送信画像制御方法、画像処理装置、画像処理方法、記憶媒体、及びプログラムを提供することを目的とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
【課題を解決するための手段】
上記目的を達成するため、本発明は、画像読取手段の画像読み取りに基づく電子画像データを電子画像ファイルに変換する第一の変換手段と、前記電子画像ファイルを電子メール形式の電子メールデータに変換する第二の変換手段と、前記電子メールデータを電子メール送信する第一の送信手段と、前記画像読取手段の画像読み取りに基づく画像データをファクシミリ形式の画像データに変換する第三の変換手段と、前記ファクシミリ形式の画像データを送信する第二の送信手段とを備えた画像通信装置であって、設定された読み取り画像幅に応じて画像処理を行う際、前記画像読取手段からの画像データを前記第一の送信手段で送信するか、前記第二の送信手段で送信するかに応じて画像サイズを異ならせるよう制御する画像処理制御手段を有することを特徴とする。
【手続補正９】
【補正対象書類名】明細書
【補正対象項目名】００１４
【補正方法】変更
【補正の内容】
【００１４】
また、本発明は、画像読取手段の画像読み取りに基づく電子画像データを電子画像ファイルに変換する第一の変換工程と、前記電子画像ファイルを電子メール形式の電子メールデータに変換する第二の変換工程と、前記電子メールデータを電子メール送信する第一の送信工程と、前記画像読取手段の画像読み取りに基づく画像データをファクシミリ形式の画像データに変換する第三の変換工程と、前記ファクシミリ形式の画像データを送信する第二の送信工程とを有する画像通信装置に適用される送信画像制御方法であって、設定された読み取り画像幅に応じて画像処理を行う際、前記画像読取手段からの画像データを前記第一の送信工程で送信するか、前記第二の送信工程で送信するかに応じて画像サイズを異ならせるよう制御する画像処理制御工程を有することを特徴とする。
【手続補正１０】
【補正対象書類名】明細書
【補正対象項目名】００１５
【補正方法】変更
【補正の内容】
【００１５】
また、本発明は、画像読取手段の画像読み取りに基づく電子画像データを電子画像ファイルに変換する第一の変換ステップと、前記電子画像ファイルを電子メール形式の電子メールデータに変換する第二の変換ステップと、前記電子メールデータを電子メール送信する第一の送信ステップと、前記画像読取手段の画像読み取りに基づく画像データをファクシミリ形式に変換する第三の変換ステップと、前記ファクシミリ形式の画像データを送信する第二の送信ステップとを有する画像通信装置に適用される送信画像制御方法を実行するプログラムを記憶したコンピュータにより読み出し可能な記憶媒体であって、前記送信画像制御方法は、設定された読み取り画像幅に応じて画像処理を行う際、前記画像読取手段からの画像データを前記第一の送信ステップで送信するか、前記第二の送信ステップで送信するかに応じて画像サイズを異ならせるよう制御する画像処理制御ステップを有することを特徴とする。
【手続補正１１】
【補正対象書類名】明細書
【補正対象項目名】０１５４
【補正方法】変更
【補正の内容】
【０１５４】
【発明の効果】
以上説明したように、請求項１、６、１１に係る発明によれば、設定された読み取り画像幅に応じて画像処理を行う際、画像データをファクシミリ形式の画像データとして送信するか、電子メール送信するかに応じて画像サイズを異ならせるよう制御するので、それぞれの送信に応じた画像サイズとして送信することができる。
【手続補正１２】
【補正対象書類名】明細書
【補正対象項目名】０１５５
【補正方法】変更
【補正の内容】
【０１５５】
また、請求項１６、３０、３１に係る発明によれば、電子メール送信する際にはファクシミリ送信の際に用いる予め決められたサイズとするための処理を行わないようにするため、同様にそれぞれの送信に応じた画像サイズとして送信することができる。また、請求項２２、３２、３３に係る発明によっても、同様にそれぞれの送信に応じた画像サイズとして送信することができる。